(57)【要約】【課題】遠くからでも存在を目立たせることができる照明装置の提供。【解決手段】リフレクタ４０の反射面４３が、車両上下方向に連続する曲面形状となっている。そのため、光はリフレクタ４０で上下方向に分断されずに反射される。すなわち、上下方向には分断されず反射面４３全体が明るいため、上下方向に分断される場合に比べて反射面４３で反射される光の量が多くなる。よって、遠くからでも照明装置１０の存在を目立たせることができる。一方、リフレクタ４０の反射面４３は、水平方向にはステップ４６を備える形状であるため、光はステップ４６により分断されて反射される。そのため、水平方向にあっては、反射光に強弱をつけることができ、照明装置１０からの光を特色ある光にすることができる。そのため、全体が特色なく均一または略均一に光る場合等に比べて、照明装置１０の存在を目立たせることができる。【選択図】        図１
2019125546.tif 000002
【特許請求の範囲】
【請求項１】
ＬＥＤ光源と、
前記ＬＥＤ光源と対向して配置されるインナレンズと、
前記ＬＥＤ光源と前記インナレンズの周囲を覆うリフレクタと、
を有し、
前記リフレクタは、車両上下方向には連続する曲面形状であり水平方向にはステップを備える形状である反射面を有する、照明装置。
【発明の詳細な説明】
【技術分野】
【０００１】
本発明は、車両のテールランプなどの照明装置に関する。
【背景技術】
【０００２】
特開２００２−３２４４１４号公報は、リフレクタを有する照明装置を開示している。該公報開示のリフレクタには、車両上下方向と水平方向の両方（縦と横の両方）にステップが設けられている。
【０００３】
しかし、上記公報開示の照明装置には、つぎの問題点がある。
リフレクタに車両上下方向と水平方向の両方のステップが設けられているため、リフレクタにより反射される光が水平方向だけでなく上下方向にも分断されてしまう。その結果、リフレクタによって反射される光の量（リフレクタからの発光量）が少なくなる。よって、照明装置が目立ちにくくなり、遠くからでも照明装置の存在を目立たせるようにする点において改善の余地がある。
【先行技術文献】
【特許文献】
【０００４】
【特許文献１】特開２００２−３２４４１４号公報
【発明の概要】
【発明が解決しようとする課題】
【０００５】
本発明の目的は、遠くからでも存在を目立たせることができる照明装置を提供することにある。
【課題を解決するための手段】
【０００６】
上記目的を達成する本発明はつぎの通りである。
（１）  ＬＥＤ光源と、
前記ＬＥＤ光源と対向して配置されるインナレンズと、
前記ＬＥＤ光源と前記インナレンズの周囲を覆うリフレクタと、
を有し、
前記リフレクタは、車両上下方向には連続する曲面形状であり水平方向にはステップを備える形状である反射面を有する、照明装置。
【発明の効果】
【０００７】
上記（１）の照明装置によれば、つぎの効果を得ることができる。
リフレクタの反射面が、車両上下方向に連続する曲面形状となっているため、ＬＥＤ光源からの光であってインナレンズを経由してリフレクタに届く光は、リフレクタで上下方向に分断されずに反射される。すなわち、上下方向には分断されず反射面全体が明るいため、上下方向に分断される場合に比べて反射面で反射される光の量が多くなる。よって、遠くからでも照明装置の存在を目立たせることができる。
【０００８】
一方、リフレクタの反射面は、水平方向にはステップを備える形状であるため、光はステップにより分断されて反射される。そのため、水平方向にあっては、分断されていない反射面部分は明るく分断される反射面部分は暗くなり、反射光に強弱をつけることができ、照明装置からの光を特色ある光にすることができる。そのため、全体が特色なく均一または略均一に光る場合等に比べて、照明装置の存在を目立たせることができる。
【図面の簡単な説明】
【０００９】
【図１】本発明実施例の照明装置における、インナレンズとリフレクタの概略斜視図である。
【図２】本発明実施例の照明装置の、図１のＡ−Ａ線部位における概略断面図である。
【図３】本発明実施例の照明装置におけるリフレクタのみの、図１のＢ−Ｂ線部位における概略断面図である。
【発明を実施するための形態】
【００１０】
以下に、図面を参照して、本発明実施例の照明装置を説明する。なお、図中ＵＰは上方を示し、ＦＲは車両前方を示す。
【００１１】
本発明実施例の照明装置１０は、たとえば車両の後部であり車両の左右方向の各端部に配設される車両のテールランプに使用される。ただし、照明装置１０が使用されるのは、テールランプに限定されるものではなく、車両に配設されるターンランプ、ストップランプ、バックランプなどであってもよい。
【００１２】
照明装置１０は、図２に示すように、ＬＥＤ光源２０と、インナレンズ３０と、リフレクタ４０と、を有する。
【００１３】
ＬＥＤ（発光ダイオード）光源２０は、１つの照明装置１０に１個のみ設けられている。このため、照明装置１０は、１灯ＬＥＤ装置である。バルブではなくＬＥＤが用いられている理由は、ＬＥＤは小型であり照明装置１０内での配置自由度が高いからである。また、発熱量が小さく長寿命であり、周囲の部材（インナレンズ３０、リフレクタ４０等）への熱の影響を少なくできるからである。
【００１４】
ＬＥＤ光源２０は、図示略の基板に実装された状態で、リフレクタ４０に保持されている。リフレクタ４０にはリフレクタ４０を貫通する貫通孔４１が１個形成されており、ＬＥＤ光源２０は、リフレクタ４０の裏面側から貫通孔４１に差し込まれてリフレクタ４０の表側に表出した状態でリフレクタ４０に固定して保持されている。ＬＥＤ光源２０は、車両後側に向かって光を出射するようにして配置されている。
【００１５】
ＬＥＤ光源２０はバルブに比べて光の指向性が高いため、ＬＥＤ光源２０からの光をそのまま利用することが困難である。そのため、照明装置１０にはインナレンズ３０が設けられている。
【００１６】
インナレンズ３０は、光透過性材料で構成されている。光透過性材料は、たとえば、ポリカーボネート、アクリル樹脂などである。インナレンズ３０は、複数部品構成であってもよいが、部品点数削減のために一部品構成とされていることが望ましい。インナレンズ３０は、型成形品である。
【００１７】
インナレンズ３０は、リフレクタ４０に保持されている。インナレンズ３０は、ＬＥＤ光源２０からの光の出射方向の前方でＬＥＤ光源２０と対向して配置される対向部３１を有しており、対向部３１のＬＥＤ光源２０に対向する面部分がＬＥＤ光源２０からの光をインナレンズ３０内に導入する受光面３２となっている。受光面３２は、ＬＥＤ光源２０側に膨出する凸湾曲面となっている。
【００１８】
ＬＥＤ光源２０からの光は、受光面３２からインナレンズ３０内に導入されてインナレンズ３０内を通った後、一部はインナレンズ３０の受光面３２の裏面（受光面裏面）３３から車両後側（リフレクタ４０の開口４２側）に出射され、その他の一部はインナレンズ３０からリフレクタ４０に向かって車両後側以外の方向に出射されてリフレクタ４０によって車両後側に反射される。
【００１９】
リフレクタ４０は、車両後側に開放されており、車両後側端部に開口４２（図１参照）を有する。開口４２の車両後側には、図示略のアウタカバーが設けられている。リフレクタ４０は、車両後側の面である表（おもて）面４０ａと、その裏側（車両前側）の面である裏面４０ｂと、を有している。
【００２０】
リフレクタ４０の表面４０ａは、図１に示すように、車両前側に凹む湾曲面となっている反射面４３と、反射面４３の下端から開口４２まで水平または略水平に延びる平面部４４と、を有する。反射面４３の上下方向中央またはその近傍で左右方向の中央または略近傍に貫通孔４１が設けられている。
【００２１】
反射面４３は、反射面４３の水平方向に延びる幅方向の一端部４３ａがリフレクタ４０の開口４２に直接連なっており、幅方向の他端部４３ｂは開口４２に連結側面４５を介して連なっている。連結側面４５は、平面であってもよく、反射面４３とは異なる曲率を有する湾曲面であってもよく、平面と湾曲面の複合面であってもよい。
【００２２】
反射面４３は、上下方向にはステップを有さずに連続する曲面形状とされており、水平方向には複数のステップ４６を有する形状とされている。各ステップ４６は、反射面４３の上端から下端まで連続して設けられている。ステップ４６が設けられていない反射面部分４３ｃは、インナレンズ３０からの光であってリフレクタ４０に届く光を車両後側に向けて反射する。ステップ４６は、図３に示すように、ステップ４６が設けられていない水平方向に隣り合う２つの反射面部分４３ｃ間に設けられる段差部等からなり、インナレンズ３０からの光を車両後方に向けて反射しない部分である。
【００２３】
つぎに、本発明実施例の作用、効果を説明する。
（Ａ）リフレクタ４０の反射面４３が、車両上下方向に連続する曲面形状となっているため、ＬＥＤ光源２０からの光であってインナレンズ３０を経由してリフレクタ４０に届く光は、リフレクタ４０で上下方向に分断されずに反射される。すなわち、上下方向には分断されず反射面４３全体が明るいため、上下方向に分断される場合に比べて反射面４３で反射される光の量が多くなる。よって、遠くからでも照明装置１０の存在を目立たせることができる。
【００２４】
（Ｂ）リフレクタ４０の反射面４３は、図３に示すように、水平方向にはステップ４６を備える形状であるため、光はステップ４６により分断されて反射される。そのため、水平方向にあっては、分断されていない反射面部分４３ｃは明るく分断される反射面部分４３ｄは暗くなり、反射光に強弱をつけることができ、照明装置１０からの光を特色ある光にすることができる。そのため、全体が特色なく均一または略均一に光る場合等に比べて、照明装置１０の存在を目立たせることができる。
【００２５】
（Ｃ）リフレクタ４０の反射面４３が、上下方向には連続する曲面形状となっており、水平方向にはステップ４６を備える形状であるため、格子状のような点灯見栄えではなく、縦縞の新しい点灯見栄えを実現できる。また、縦縞の新しい点灯見栄えを実現するために、インナレンズ３０とは別のさらなる追加インナレンズを要しないため、追加インナレンズを要する場合に比べて照明装置１０の軽量化、コストダウンを図ることができ有利である。
【００２６】
（Ｄ）ＬＥＤ光源２０が１つの照明装置１０に１個のみ設けられており、照明装置１０が１灯ＬＥＤ装置であるため、ＬＥＤ光源２０が複数設けられる場合に比べて照明装置１０を安価に製造できる。
【００２７】
（Ｅ）インナレンズ３０が設けられているため、バルブに比べて指向性の高いＬＥＤ光源２０を用いる場合であっても、照明装置１０の全体または略全体に光る点灯見栄えを実現できる。
【符号の説明】
【００２８】
１０  照明装置
２０  ＬＥＤ光源
３０  インナレンズ
３１  対向部
３２  受光面
３３  受光面裏面
４０  リフレクタ
４０ａ  表面
４０ｂ  裏面
４１  貫通孔
４２  開口
４３  反射面
４３ａ  反射面の幅方向一端部
４３ｂ  反射面の幅方向他端部
４３ｃ  ステップが設けられていない反射面部分
４３ｄ  ステップで分断される反射面部分
４４  平面部
４５  連結側面
４６  ステップ
【図１】
2019125546.tif 000003
【図２】
2019125546.tif 000004
【図３】
2019125546.tif 000005